(57)【要約】  【課題】ソケット／プラグアセンブリにおけるソケットの長さを短くする。  【解決手段】ソケットは、プラグ受入孔を備える筒状本体２６と、挿入されるプラグを固定する固定子２８と、該固定子を操作するためのスリーブ３０と、該スリーブを固定子に押圧係合させる位置に向けて付勢するための圧縮コイルバネ３２とを有する。筒状本体２６は、小径部３４と大径部３６とを有し、スリーブは小径部上で摺動可能とされている摺動部３０−１と、該摺動部よりも内径が大きくされて筒状本体の大径部に向けて延びているカバー部３０−２とを有する。圧縮コイルバネは、筒状本体の大径部３６とスリーブの摺動部３０−１との間に設定され、その周りには、筒状のバネカバー４２が設けられる。スリーブが摺動するときに、そのカバー部３０−２がバネカバー４２に重なった状態を維持するようにされる。【選択図】図１
2006090401.tif 000002
【特許請求の範囲】
【請求項１】
ソケットと、該ソケットに挿入されて連結されるプラグとからなるソケット／プラグアセンブリであって、
ソケットは、
一端にプラグが挿入されるプラグ挿入開口を備え、該開口から他端に向けて軸線方向で延びるプラグ受入孔を有する筒状本体と、
該筒状本体のプラグ受入孔内に挿入されたプラグに係合して、該プラグを当該ソケットに対して固定する固定子と、
筒状本体の外周面上に摺動可能に取り付けられ、上記プラグ受入孔内に挿入されたプラグに固定子を係合固定させるための固定位置と、同固定子がプラグから係合解除されるのを許容する固定解除位置との間で軸線方向に変位可能なスリーブと、
該スリーブを上記固定位置に向けて付勢するための圧縮コイルバネと、
を備え、
筒状本体は、その外周面に上記一端側から他端側に向けて順次設けられた小径部と大径部とを有し、
上記スリーブは小径部上で摺動可能とされている摺動部と、該摺動部よりも大径とされて筒状本体の上記大径部に向けて延びているカバー部とを有し、
上記圧縮コイルバネは、筒状本体の小径部の周りで、筒状本体の大径部とスリーブの摺動部との間に設定され、該スリーブを上記固定位置に向けて付勢しており、
当該ソケット／プラグアセンブリは、更に、スリーブのカバー部よりも小径で、該カバー部と圧縮コイルバネとの間に設定され、筒状本体の小径部において大径部側からスリーブの摺動部の方向に向かって所定長さだけ延びる筒状のバネカバーを有し、
上記スリーブのカバー部は、当該スリーブが上記固定位置と固定解除位置との間を摺動するときに、バネカバーに重なった状態で軸線方向に変位するようにされていることを特徴とするソケット／プラグアセンブリ。
【請求項２】
上記バネカバーが、上記筒状本体の大径部の小径部に隣接した端部に接するよう半径方向内方へ延びる部分を有し、該部分は大径部の上記端部と圧縮コイルバネとの間に位置するようにしたことを特徴とする請求項1に記載のソケット／プラグアセンブリ。
【請求項３】
筒状本体が、その半径方向で延びる貫通孔を有し、上記固定子が該貫通孔内に設けられ、プラグ受入孔内に挿入されたプラグに係合して該プラグをプラグ受入孔に固定する半径方向内側位置と、該プラグから離れて該プラグのプラグ受入孔への固定を解除する半径方向外側位置との間で半径方向で変位可能とされており、
スリーブは、その小径部の内周面に半径方向内側位置にある固定子に係合する第１部位と、該第１部位から上記圧縮コイルバネの付勢方向に向けて径が次第に拡大する傾斜部と、該傾斜部よりも上記付勢方向側に位置し上記半径方向外側位置にある固定子を受け入れる第２部位と、第１部位と第２部位との間で上記傾斜部に位置し、固定子からは半径方向外方への力を受けても該スリーブに上記付勢方向の逆の方向への力が生じないようにする第３部位とを有し、
プラグは、先端の頭部と、上記半径方向内側位置の固定子を受け入れる固定子係合凹部とを有し、該固定子係合凹部は、先端の頭部に続き後方に向かうに従って次第に径が小さくなる傾斜面を有しており、当該固定子係合凹部に受け入れる固定子が該傾斜面に係合するようにしてあり、固定子から該傾斜面に加えられる半径方向内方へ押圧力により当該プラグをプラグ受入孔内に引込むようにしてある
ことを特徴とする請求項１若しくは２に記載のソケット／プラグアセンブリ。
【請求項４】
上記第３部位が、スリーブの軸線に平行に延びる面とされていることを特徴とする請求項３に記載のソケット／プラグアセンブリ。
【請求項５】
ソケットが更に、
プラグ受入孔内に設けられ、固定子と係合して固定子を上記半径方向外側位置に保持する固定子保持位置と、該位置よりもプラグ受入孔内に押込まれて固定子から外れ、該固定子が上記半径方向内側位置となるのを許容する固定子解放位置との間の軸線方向で変位可能とされた固定子支持体と、
プラグ受入孔内で固定子支持体よりも奥に設定されて、固定子支持体を上記固定子保持位置に向けて付勢するバネと
を有し、
プラグ受入孔は小径部を有し、
固定子支持体は、外周面に環状溝を備え、該環状溝内にスプリットリング状のストップリングが設けられ、
該ストップリングが環状溝内で縮径された状態でプラグ受入孔の上記小径部を通過され、拡径された状態で、上記プラグ受入孔の小径部に軸線方向で係合して、当該固定子支持体がプラグ受入孔から抜け出るのを防止するようにしている
ことを特徴とする請求項1乃至４のいずれかに記載のソケット／プラグアセンブリ。
【請求項６】
筒状本体が、その上記他端においてプラグ受入孔を閉じるよう一体成形された閉止部を有し、該閉止部に当該ソケットを所要の物品に連結するための連結具を形成できるようにしていることを特徴とする請求項５に記載のソケット／プラグアセンブリ。
【請求項７】
ソケットと、該ソケットに挿入されて連結されるプラグとからなるソケット／プラグアセンブリであって、
ソケットは、
一端にプラグが挿入されるプラグ挿入開口を備え、該開口から他端に向けて軸線方向で延びるプラグ受入孔を有する筒状本体と、
該筒状本体のプラグ受入孔内に挿入されたプラグに係合して、該プラグを当該ソケットに対して固定する固定子と、
筒状本体の外周面上に摺動可能に取り付けられ、上記プラグ受入孔内に挿入されたプラグに固定子を係合固定させるための固定位置と、同固定子がプラグから係合解除されるのを許容する固定解除位置との間で軸線方向に変位可能なスリーブと、
該スリーブを上記固定位置に向けて付勢するための圧縮コイルバネと、
を備え、
筒状本体が、その半径方向で延びる貫通孔を有し、上記固定子が該貫通孔内に設けられ、プラグ受入孔内に挿入されたプラグに係合して該プラグをプラグ受入孔に固定する半径方向内側位置と、該プラグから離れて該プラグのプラグ受入孔への固定を解除する半径方向外側位置との間で半径方向で変位可能とされており、
ソケットが更に、プラグ受入孔内に設けられ、固定子と係合して固定子を上記半径方向外側位置に保持する固定子保持位置と、該位置よりもプラグ受入孔内に押込まれて固定子から外れ、該固定子が上記半径方向内側位置となるのを許容する固定子解放位置との間の軸線方向で変位可能とされた固定子支持体を有し、
スリーブは、その小径部の内周面に半径方向内側位置にある固定子に係合する第１部位と、該第１部位から上記圧縮コイルバネの付勢方向に向けて径が次第に拡大する傾斜部と、該傾斜部よりも上記付勢方向側に位置し上記半径方向外側位置にある固定子を受け入れる第２部位と、第１部位と第２部位との間に位置し、固定子から半径方向外方への力を受けても該プラグに上記付勢方向の逆の方向への力が生じないようにする第３部位とを有し、
プラグは、先端の頭部と、上記半径方向内側位置の固定子を受け入れる固定子係合凹部とを有し、該固定子係合凹部は、先端の頭部に続き後方に向かいに従って次第に径が小さくなる傾斜面を有しており、当該固定子係合凹部に受け入れる固定子が該傾斜面に係合するようにしてあり、固定子から該傾斜面に加えられる半径方向内方へ押圧力により当該プラグをプラグ受入孔内に引込むようにしてある
ことを特徴とするソケット／プラグアセンブリ。
【請求項８】
上記第３部位が、スリーブの軸線に平行に延びる面とされていることを特徴とする請求項７に記載のソケット／プラグアセンブリ。
【発明の詳細な説明】
【技術分野】
【０００１】
本発明は、ソケットと、該ソケットに挿入されて連結されるプラグとからなるソケット／プラグアセンブリに係り、特に、隣接する物品を相互連結するのに適したソケット／プラグアセンブリに関する。
【背景技術】
【０００２】
例えば、ソケットを壁に固定し、該ソケットにプラグを挿入固定することにより、該プラグに予め取り付けた照明器具のカバーなどの所要の物品を、当該壁に取り付けるようにした連結具が知られている。そして、そのような連結具では、連結される物品同士がガタが無く確実に連結されるように、プラグの先端頭部の後面を後方に向うに従い半径方向内側に傾斜する傾斜面とし、その傾斜面にソケットに設けられた固定子を半径方向内向きに弾性力をもって押圧し、それによって、プラグを前方へ付勢させる（すなわち、ソケット内に引き込む）ようにしたものがある（特許文献1参照）。しかし、このような形式の連結具では、プラグに過剰な引抜き力が加わると、プラグの上記傾斜面が固定子を半径方向外側に変位させるように作用し、該プラグがソケットから抜け出てしまう虞がある。
【０００３】
本願出願人は、このような欠点を解消する手段を備えたソケット／プラグアセンブリに関する特許出願をしている（特許文献２参照）。すなわち、この出願に係るソケット／プラグアセンブリは、ソケットが、プラグを受け入れる筒状のソケット本体を有する。該ソケットの外周面上にはその長さ方向（軸線方向）で摺動可能としたスリーブが設けられる。該スリーブの内面に軸線方向において傾斜するテーパ面を設け、該テーパ面が上記固定子におけるソケット本体の外周面から外側に延出する部分に係合するようにする。そして、同じくソケット本体の外周面を取り巻くように設けられる圧縮コイルバネによって、該スリーブをそのテーパ面が固定子に押圧されるように軸線方向で付勢し、それによって、該固定子に半径方向内向きの弾性力を与える。該テーパ面にはその軸線方向中間部分に軸線方向と平行な部分を設け、プラグに過大な引抜力がかかって固定子が半径方向外側に押圧され、スリーブが（圧縮コイルバネによる付勢方向とは反対方向で）軸線方向に動かされた場合でも、該スリーブのテーパ面における上記軸線方向と平行な部分が固定子に係合された時点で、該固定子からスリーブに対する上記軸線方向での力が加わらないようにすることにより、固定子の半径方向外向の変位を阻止し、それによってプラグがソケットから抜け出るのを防止している。
【特許文献１】特開２００１−１８２７２６号公報
【特許文献２】特願２００４−１７１８８３
【発明の開示】
【発明が解決しようとする課題】
【０００４】
特許文献２に開示されたようなソケット／プラグアセンブリにおいて、ソケット本体の外周面に圧縮コイルバネが設定されており、該コイルバネの機能を保全する上でも、外部に露出しないようにすることが望まれるが、このソケット／プラグアセンブリでは、スリーブの軸線方向での長さを長くすることにより、該スリーブが軸線方向で動かされてどのような位置にあっても、該コイルバネをカバーすることができるようにしている。このため、ソケット全体の長さが長くなってしまうという欠点を有していた。
本発明は、このような点に鑑み、ソケットの長さをできるだけ短いものとすることができるようにすることを目的としている。
【課題を解決するための手段】
【０００５】
すなわち、本発明は、
ソケットと、該ソケットに挿入されて連結されるプラグとからなるソケット／プラグアセンブリであって、
ソケットは、
一端にプラグが挿入されるプラグ挿入開口を備え、該開口から他端に向けて軸線方向で延びるプラグ受入孔を有する筒状本体と、
該筒状本体のプラグ受入孔内に挿入されたプラグを同孔内に固定する固定子と、
筒状本体の外周面上に摺動可能に取り付けられ、上記プラグ受入孔内に挿入されたプラグに固定子を係合固定させるための固定位置と、同固定子がプラグから係合解除されるのを許容する固定解除位置との間で軸線方向に変位可能なスリーブと、
該スリーブを上記固定位置に付勢するための圧縮コイルバネと、
を備え、
筒状本体は、その外周面に上記一端側から他端側に向けて順次設けられた小径部と大径部とを有し、
上記スリーブは小径部上で摺動可能とされている摺動部と、該摺動部よりも大径とされて筒状本体の上記大径部に向けて延びているカバー部とを有し、
上記圧縮コイルバネは、筒状本体の小径部の周りで、筒状本体の大径部とスリーブの摺動部との間に設定され、該スリーブを上記固定位置に向けて付勢しており、
当該ソケット／プラグアセンブリは、スリーブのカバー部よりも小径で、該カバー部と圧縮コイルバネとの間に設定され、筒状本体の小径部において大径部側からスリーブの摺動部の方向に向かって所定長さだけ延びる筒状のバネカバーを有し、
上記スリーブのカバー部は、当該スリーブが上記固定位置と固定解除位置との間を摺動するときに、バネカバーに重なった状態で軸線方向に変位するようにされていることを特徴とするソケット／プラグアセンブリを提供する。
【０００６】
従来の上記の如きソケット／プラグ形式の管継手においては、スリーブが固定位置と固定解除位置との間を動くときに、圧縮コイルバネが外部に露呈しないようにスリーブのカバー部を長くするようにしていたため、ソケット全体の長さが長くなってしまうが、本発明に係る上記ソケット／プラグアセンブリでは、上記の如きバネカバーを設けるようにしたために、スリーブの長さを長くすることが無く、そのため、ソケット自体の長さを短くすることが可能となる。
【０００７】
具体的には、バネカバーが、筒状本体の大径部の小径部に隣接した端部に接するよう半径方向内方へ延びるフランジ部分を有し、該フランジ部分は大径部の上記端部と圧縮コイルバネとの間に位置するようにする。
バネカバーはこのようにすることにより、スリーブ上の所定の位置に保持されることになる。
【０００８】
より具体的には、
筒状本体が、その半径方向で延びる貫通孔を有し、上記固定子が該貫通孔内に設けられ、プラグ受入孔内に挿入されたプラグに係合して該プラグをプラグ受入孔に固定する半径方向内側位置と、該プラグから離れて該プラグのプラグ受入孔への固定を解除する半径方向外側位置との間で半径方向で変位可能とされており、
スリーブは、その小径部の内周面に半径方向内側位置にある固定子に係合する第１部位と、該第１部位から上記圧縮コイルバネの付勢方向に向けて径が次第に拡大する傾斜部と、該傾斜部から上記付勢方向に離れた位置で上記半径方向外側位置にある固定子を受け入れる第２部位と、第１部位と第２部位との間に位置し、固定子から半径方向外方への力を受けても該スリーブに上記付勢方向の逆の方向への力が生じないようにする第３部位とを有し、
プラグは、先端の頭部と、上記半径方向内側位置の固定子を受け入れる固定子係合凹部とを有し、該固定子係合凹部は、先端の端部に続き後方に向かいに従って次第に径が小さくなる傾斜面を有しており、当該固定子係合凹部に受け入れる固定子が該傾斜面に係合するようにしてあり、固定子から該傾斜面に加えられる半径方向内方へ押圧力により当該プラグをプラグ受入孔内に引込むようにすることが好ましい。
【０００９】
具体的には、上記第３部位が、スリーブの軸線に平行に延びる面とすることができる。
【００１０】
より具体的には、
ソケットが更に、
プラグ受入孔内に設けられ、固定子と係合して固定子を上記半径方向外側位置に保持する固定子保持位置と、該位置よりもプラグ受入孔内に押込まれて固定子から外れ、該固定子が上記半径方向内側位置となるのを許容する固定子解放位置との間の軸線方向で変位可能とされた固定子支持体と、
プラグ受入孔内で固定子支持体よりも奥に設定されて、固定子支持体を上記固定子保持位置に向けて付勢するバネと
を有し、
プラグ受入孔は小径部を有し、
固定子支持体は、外周面に環状溝を備え、該環状溝内にスプリットリング状のストップリングが設けられ、
該ストップリングが環状溝内で縮径された状態でプラグ受入孔の上記小径部を通過され、拡径された状態で、上記プラグ受入孔の小径部に軸線方向で係合して、当該固定子支持体がプラグ受入孔から抜け出るのを防止するようにすることができる。
【００１１】
この場合、筒状本体が、その上記他端においてプラグ受入孔を閉じるよう一体成形された閉止部を有し、該閉止部に所要の物品との連結具を取付けることができるようにすることが好ましい。すなわち、固定子保持部材をそれがプラグ受入孔から抜け出ないように設定するためには、筒状本体の上記他端側の開口から固定子保持部材を挿入した後、該他端を閉止部材をネジ係合するなどして取り付けるのが一般的であるが、上記スプリットリング状のストップリングを用いて、固定子保持部材をプラグ挿入開口から挿入することができるようにしておき、他端開口を閉じる閉止部材を筒状本体と一体成形するものとすることにより、ネジ係合のためのネジ部分を設ける必要が無いので、筒状本体全体の長さを短くすることができる。
【００１２】
更に本発明は、
ソケットと、該ソケットに挿入されて連結されるプラグとからなるソケット／プラグアセンブリであって、
ソケットは、
一端にプラグが挿入されるプラグ挿入開口を備え、該開口から他端に向けて軸線方向で延びるプラグ受入孔を有する筒状本体と、
該筒状本体のプラグ受入孔内に挿入されたプラグに係合して、該プラグを当該ソケットに対して固定する固定子と、
筒状本体の外周面上に摺動可能に取り付けられ、上記プラグ受入孔内に挿入されたプラグに固定子を係合固定させるための固定位置と、同固定子がプラグから係合解除されるのを許容する固定解除位置との間で軸線方向に変位可能なスリーブと、
該スリーブを上記固定位置に向けて付勢するための圧縮コイルバネと、
を備え、
筒状本体が、その半径方向で延びる貫通孔を有し、上記固定子が該貫通孔内に設けられ、プラグ受入孔内に挿入されたプラグに係合して該プラグをプラグ受入孔に固定する半径方向内側位置と、該プラグから離れて該プラグのプラグ受入孔への固定を解除する半径方向外側位置との間で半径方向で変位可能とされており、
ソケットが更に、プラグ受入孔内に設けられ、固定子と係合して固定子を上記半径方向外側位置に保持する固定子保持位置と、該位置よりもプラグ受入孔内に押込まれて固定子から外れ、該固定子が上記半径方向内側位置となるのを許容する固定子解放位置との間の軸線方向で変位可能とされた固定子支持体を有し、
スリーブは、その小径部の内周面に半径方向内側位置にある固定子に係合する第１部位と、該第１部位から上記圧縮コイルバネの付勢方向に向けて径が次第に拡大する傾斜部と、該傾斜部よりも上記付勢方向側に位置し上記半径方向外側位置にある固定子を受け入れる第２部位と、第１部位と第２部位との間に位置し、固定子から半径方向外方への力を受けても該プラグに上記付勢方向の逆の方向への力が生じないようにする第３部位とを有し、
プラグは、先端の頭部と、上記半径方向内側位置の固定子を受け入れる固定子係合凹部とを有し、該固定子係合凹部は、先端の頭部に続き後方に向かうに従って次第に径が小さくなる傾斜面を有しており、当該固定子係合凹部に受け入れる固定子が該傾斜面に係合するようにしてあり、固定子から該傾斜面に加えられる半径方向内方へ押圧力により当該プラグをプラグ受入孔内に引込むようにしてある
ことを特徴とするソケット／プラグアセンブリを提供する。
【００１３】
具体的には、上記第３部位は、スリーブの軸線に平行に延びる面とすることができる。
【発明の効果】
【００１４】
本発明では、バネカバーを設けることにより、スリーブの長さを短くすることができ、ソケットを短くすることが可能となる。また、筒状本体の他端開口を閉じる閉止部材を筒状部材と一体成形するようにすることによっても、ソケットを短くすることが可能となる。更に本発明では、スリーブの内周面に設けた傾斜面によって、固定子を半径方向内側位置に押圧するようにしているが、上記傾斜面に設けたソケットの軸線に平行な部分などによって作られる第３部位を設けることにより、ソケットからのプラグに過大な引抜力が加わって固定子に対して半径方向外向きの力が加わっても、固定子からソケットへの軸線方向での力がかからないようにすることができ、これによりプラグがソケットから抜け出してしまうようなことを防止することができる。
【発明を実施するための最良の形態】
【００１５】
図１−４を参照して、本発明にもとづくソケット／プラグアセンブリの実施形態について説明する。図１はプラグ／ソケットアセンブリ１０の実施形態を示し、ソケットとプラグが連結されていない状態を示す縦断面図、図２は該プラグ／ソケットアセンブリ１０のソケット及びプラグが連結された状態を示す縦断面図、図３は図２の状態のソケット／プラグアセンブリのプラグに引抜き力が加わった状態を示す縦断面図動作説明図、図４はスリーブの要部の縦断面図である。
【００１６】
図１に示すように、ソケット／プラグアセンブリ１０は、ソケット１２と、該ソケットに挿入されて連結されるプラグ１４とからなる。
ソケット１２は、一端にプラグ１４が挿入されるプラグ挿入開口２２を備え、該プラグ挿入開口２２から他端に向けて軸線方向で延びるプラグ受入孔２４を有する筒状本体２６と、該筒状本体のプラグ受入孔２４内に挿入されたプラグ１４に係合して、該プラグ１４を当該ソケット１２に対して固定する固定子２８と、筒状本体２６の外周面上に摺動可能に取り付けられ、プラグ受入孔２４内に挿入されたプラグ１４に固定子２８を係合固定させるための固定位置（図２）と、同固定子２８がプラグ１４から係合解除されるのを許容する固定解除位置（図１）との間で軸線方向に変位可能なスリーブ３０と、該スリーブ３０を固定位置（図２）に向けて付勢するための圧縮コイルバネ３２とを備える。
【００１７】
筒状本体２６は、その外周面にプラグ挿入開口２２のある端部から他端側に向けて順次設けられた小径部３４と大径部３６とを有する。スリーブ３０は小径部３４上で摺動可能とされている摺動部３０−１と、該摺動部３０−１よりも大径とされて筒状本体２６の大径部３６に向けて延びているカバー部３０−２とを有し、圧縮コイルバネ３２は、筒状本体２６の小径部３４の周りで、筒状本体２６の大径部３６とスリーブ３０の摺動部３０−１との間に設定され、該スリーブ３０を図で見て右方に向けて付勢している。
【００１８】
当該ソケット／プラグアセンブリ１０は、更に、スリーブ３０のカバー部３０−２よりも小径で、該カバー部３０−２と圧縮コイルバネ３２との間に設定され、筒状本体２６の大径部３６側からスリーブ３０の摺動部３０−１の方向に向かって所定長さだけ延びる筒状のバネカバー４２を有し、カバー部３０−２は、当該スリーブ３０が固定位置（図２）と固定解除位置（図１）との間を摺動するときに、バネカバー４２に重なった状態で軸線方向に変位するようにされている。バネカバー４２は、図示の例では、筒状本体２６の大径部３６の小径部３４に隣接した端部に接するよう半径方向内方へ延びるフランジ部分４２−１を有し、該フランジ部分は大径部３６と圧縮コイルバネ３２との間に挟まれている。
【００１９】
筒状本体２６は、そのプラグ受入孔２４を閉じる閉止部２６−１と、該閉止部２６−１から上記軸線方向に延びて所要の部材に連結される連結部２６−３とを有し、該閉止部２６−１及び連結部２６−３が筒状本体２６に一体成形されている。
【００２０】
筒状本体２６は、その半径方向で延びる貫通孔４４を有し、固定子２８は該貫通孔４４内に設定されており、プラグ１４に係合固定される半径方向内側位置（図２）と、プラグ１４から係合解除される半径方向外側位置（図１）との間で半径方向で変位可能とされている。図示の例では、プラグ受入孔２４内に固定子支持体４６設けられ、該固定子支持体４６が、図１に示すように、固定子２８と係合して固定子２８を半径方向外側位置に保持する固定子保持位置と、プラグ１４によってプラグ受入孔２４内に押込まれ、固定子２８から外れ、該固定子２８が半径方向内側位置（図２）となるのを許容する固定子解放位置との間の軸線方向で変位可能とされている。プラグ受入孔２４の奥には圧縮コイルバネ４８が設定され、固定子支持体４６を図で見て右方に付勢している。
【００２１】
プラグ受入孔２４は小径部（図示の例では、環状の突起）２４−１を有する。これに対して、固定子支持体４６は、その外周面に環状溝４６−１を備え、該環状溝４６−１内にスプリットリング状のストップリング５０が設けられ、該ストップリング５０を環状溝４６−１内で縮径した状態でプラグ受入孔２４の小径部２４−１を通過させてプラグ受入孔２４の奥に入れ、拡径させている。拡径されたストップリング５０は、プラグ受入孔２４の小径部２４−１に軸線方向で係合して、当該固定子支持体４６がプラグ受入孔２４から抜け出るのを防止するようになっている。
【００２２】
図４には、スリーブ３０における摺動部３０−１の内周面に形成された固定子係合部３０−３を示している。該固定子係合部３０−３は、固定子２８がプラグ１４に係合固定される半径方向内側位置（図２）にあるときに該固定子２８に係合押圧する固定子押圧部位３０−４と、固定子２８がプラグ１４から係合解除される半径方向外側位置(図１)にあるときに該固定子２８に係合する固定子解放部位３０−５とを有し、固定子押圧部位３０−４から固定子解放部位３０−５に向けて次第に径が拡大する傾斜面３０−６とされており、該傾斜面３０−６には、固定子解放部位３０−５に隣接した位置で傾斜が零となる、すなわち、軸線方向に平行になるスリーブ停止部位３０−７が設けられている。
【００２３】
プラグ１４は、その先端頭部６０の後部に固定子係合溝６２が形成されている。該プラグ１４がソケット１２のソケット受入孔２４内に挿入されるときは、先端頭部６０が固定子支持部材４６と係合してプラグ受入孔２４内に押し込んで固定子２８から外し同プラグ受入孔２４内に進められる。固定子係合溝６２が半径方向で固定子２８に整合した状態になると、該固定子２８が固定子係合溝６２内に嵌合する。スリーブ３０はそれまでは、その内周面の固定子開放部位３０−５が、固定子支持部材４６によって半径方向外側位置に支持された固定子２８に係合して図１に示す固定解除位置とされている。固定子２８がプラグ１４の固定子係合溝６２に半径方向で整合されると、スリーブ３０が圧縮コイルバネ３２の付勢力によって図で見て右方へ変位され、該スリーブ３０の内周面における傾斜面３０−６が固定子２８を半径方向内方へ変位させ、固定子押圧部位３０−４が固定子２８に係合する位置になると、該固定子２８は固定子係合溝６２内に押圧係合された状態となる。このとき固定子２８は、固定子係合溝６２の前方傾斜面すなわち、先端頭部６０から後方に向けて縮径している傾斜面６２−１に係合し、それにより、プラグ１４を前方（図で見て左方）へ引き付ける。このようにすることにより、筒状本体２６の先端面２６−２とプラグ１４に設けられている六角部のソケット側端面１４−１とが図示のように衝き合わせ状態とされ、ソケット１２及びプラグ１４間のガタツキが無いようにしたり、または、ソケット１２及びプラグ１４にそれぞれ連結された物品Ａ，Ｂが相互に引き付けられ衝き合わされるようにして、物品相互の連結を確実なものとすることができる。なお、図示の例では、ソケット１２の筒状本体２６の連結部２６−３はオネジが形成されており、また、プラグ１４にも同様の連結部６４が設けられている。
【００２４】
ソケット１２とプラグ１４とが上記のように連結されているときに、プラグ１４をソケット１２から引き抜く方向で過大な力が加わったときには、固定子係合溝６２の前方傾斜面６２−１が固定子２８を半径方向外方へ押圧し、該固定子２８がスリーブ３０における内周面の傾斜面３０−５に押圧する。このため、スリーブ３０は、図で見て左方へ変位され、固定子２８が固定子係合溝６２から外れる半径方向外側位置まで変位する虞が生じるが、本発明においては、傾斜面３０−５にスリーブ３０の軸線に平行に設けられたスリーブ停止部位３０−６が設けられているために、該スリーブ停止部位３０−６が固定子２８と係合する位置まで、スリーブ３０が変位すると、該スリーブ３０を変位させる固定子２８からの力はなくなり、スリーブ３０はその位置で停止する（図３）。
【００２５】
以上、本発明に係るソケット／プラグアセンブリ１０の実施形態につき説明したが、本発明はこれに限定されるものではない。例えば、スリーブ３０の内周面に形成されるスリーブ停止部位３０−６は、スリーブ軸線に対して平行なものに限られず、例えば、傾斜面３０−５と逆向きに傾斜した面とすることが可能である。また、固定子支持体４６がなく、プラグ１４が挿入されていない状態では固定子２８がプラグ受入孔２４内に部分的に突入しており、プラグ１４の挿入に伴って半径方向外方へ変位され、それに応じてスリーブ３０が軸線方向で変位するようなものとすることも可能である。連結部２６−３，６４も図示のものに限らず、例えばソケット１２における筒状本体２６の閉止部２６−１の中心に軸線方向で貫通する開口を設け、該開口を通して固定用ボルトを通して、所要物品に固定するようにすることもできる。
【図面の簡単な説明】
【００２６】
【図１】プラグ／ソケットアセンブリの実施形態を示し、ソケットとプラグが連結されていない状態を示す縦断面図である。
【図２】図１のプラグ／ソケットアセンブリ１０のソケット及びプラグが連結された状態を示す縦断面図である。
【図３】図２の状態のソケット／プラグアセンブリのプラグに引抜き力が加わった状態を示す縦断面図である。
【図４】スリーブの要部の縦断面図である。
【符号の説明】
【００２７】
１０        プラグ／ソケットアセンブリ
１２        ソケット
１４        プラグ
１４−１    ソケット側端面
２２        プラグ挿入開口
２４        プラグ受入孔
２４−１    小径部
２６        筒状本体
２６−１    閉止部
２６−２    先端面
２６−３    連結部
２８        固定子
３０        スリーブ
３０−１    摺動部
３０−２    カバー部
３０−３    固定子係合部
３０−４    固定子押圧部位  （第１部位）
３０−５    固定子解放部位  （第２部位）
３０−６    傾斜面          （傾斜部）
３０−７    スリーブ停止部位（第３部位）
３２        圧縮コイルバネ
３４        小径部
３６        大径部
４２        バネカバー
４２−１    フランジ部分
４４        貫通孔
４６        固定子支持体
４６−１    環状溝
４８        圧縮コイルバネ
５０        ストップリング
６０        先端頭部
６２        固定子係合溝
６２−１    傾斜面
６４        連結部
【図１】
2006090401.tif 000003
【図２】
2006090401.tif 000004
【図３】
2006090401.tif 000005
【図４】
2006090401.tif 000006